(57)【要約】      （修正有）【課題】仏壇本体と納骨収納体が直接的に脱着可能に取り付けられ、タブレット端末を使用してお参りができる可搬式簡易お参り可能仏壇装置を提供する。【解決手段】前面に仏壇本体２とカウンター引き出し体３と収納チェスト体４と台座体５と部品を設置できる背面材体６とからなり、簡単に移動できる軽量的なタブレット端末７付きの仏壇装置であって、仏壇本体に本尊と関連仏具１２を配置でき、お経及び故人の音声、画像を表示できるタブレット端末を支持台１５に着座１４できるようにして、また収納チェスト体の内に遺骨を収納できるようになっており、背面材体に本尊とタブレット端末を設置している仏壇本体と仏具とお供え物の置きであるカウンター引き出し体と納骨の収納チェスト体と底板の台座体とを簡単に取り付け組み立てることができるようになっている。【選択図】図１
0003233136.tif 000002
【実用新案登録請求の範囲】
【請求項１】
前面に仏壇本体とカウンター引き出し体と収納チェスト体と台座体と前記部品を設置できる背面材体とからなり、簡単に移動できるタブレット端末付き軽量仏壇装置において、前記仏壇本体にご本尊様と関連仏具を配置できる台座を持ち、前座にお参りのお経及び故人の音声、画像を表示できるタブレット端末を支持台に着座できるようにして、また最下部に収納チェスト体の内に遺骨を収納できるようになっており、前記背面材体に本尊とタブレット端末を設置している仏壇本体と仏具とお供え物の置きであるカウンター引き出し体と納骨の収納チェスト体と底板の台座体とを組み立て式に簡単に取り付けることを特徴とする可動式簡易お参り可能な仏壇装置。
【請求項２】
前記仏壇本体は、幅２５０〜３５０ｍｍ、高さ３５０〜４５０ｍｍ、奥行き２００〜３００ｍｍの厚さ１５〜２５ｍｍの桐材の筐体であり、前面に両扉付き開口を有する筐体内に、ご本尊様と関連仏具を設置できる台座とタブレット端末を着座できる支持台とを備えて、前記仏壇本体の下部に仏具とお供え物を飾るカウンター引き出し体を直接的に嵌め込みできるようになって、前記仏壇本体とカウンター引き出し体との組み合わせから仏壇本体を個別に使用できるようになり、幅２５０〜４５０ｍｍ、高さ１２００〜１５００ｍｍの背面材体に取り付けたＬ字型板盤の固定具上にカウンター引き出し体を固定・設置して、前記カウンター引き出し体上に仏壇本体の筐体を当着させていることを特徴とする請求項１に記載の可動式簡易お参り可能な仏壇装置。
【請求項３】
前面に開口を有する扉付き筐体を備えた仏壇本体は、背面材体に取り付けたカウンター引き出し体上から前記仏壇本体を簡単に取り外しができて、背面材体の下部位置には、仏具、及ぶ骨壺を収納できる幅２５０〜４５０ｍｍ、高さ２５０〜４５０ｍｍ、奥行き２００〜４００ｍｍの木質材で製作された引き出しと開き戸付き収納キャスト体を有して、底部に前記収納キャスト体を固定できる台座体に取り付けており、背面材体の中間位置には収納キャスト体の天板を使用した飾り空間部になっていることを特徴とする請求項１、及び請求項２に記載の可動式簡易お参り可能な仏壇装置。
【請求項４】
仏壇本体の前板に当たる観音扉は無垢材の木材にて掘り込みをもたらせた装飾性の左右対称の掘り込み模様の観音両開き扉を枢着し、筐体内にはベース板部、着座部、背板部を形成する収容空間の背板部付近に本尊、仏具を立設できる空間を確保しており、仏壇本体の内部に仏壇の本尊立設する仏壇台と前面に音声・画像を表示できるタブレット端末を着座させていることを特徴とする請求項１〜請求項３のいずれかに記載の可動式簡易お参り可能な仏壇装置。
【考案の詳細な説明】
【技術分野】
【０００１】  本考案は仏壇本体と納骨収納体が直接的に脱着可能に取り付けられ、仏壇本体タブレット端末付きお参りができる可搬式簡易お参り可能仏壇装置仏壇装置に関する。
【背景技術】
【０００２】  現在、仏壇として様々な商品が販売されている。たとえば、須弥壇が設けられた仏壇本尊の他に、仏具を収納する引出しや、経机などが設けられた台が一体的に設けられた、比較的大型の台付き仏壇や、壁に掛けて使用される、比較的コンパクトな壁掛式仏壇などが知られている。【０００３】  仏壇を設置する場所に、充分なスペースがある場合には、仏壇に多くの仏具やお花を置いてお祀りしたいという理由から、比較的大型の台付き仏壇を選択したいという需要がある。一方、近年では、将来子供に仏壇を引き継ぐときなどに、次世代に負担をかけたくないという理由から、予めコンパクトな仏壇が選択されることが多くなっている。また、転居や施設に入る場合など、住居が変わる場面を想定して、壁掛式仏壇など、コンパクトな仏壇が選択されることもある。【０００４】従来から日本住宅には．仏間に仏壇．タンス置き場が有りタンスの傍に三面鏡．居間にテレビが置いてある．現在の建物はアパート．マンション．老人ホームが建てられていて仏壇．三面鏡のスペースがない建て物が多い。その中で仏壇．三面鏡．テレビの三機種を一体化して．各別々の機能と特色を出して．リモコン操作で使用出来特別に．設置場所を設けなくても壁掛けにして身近に置いて使用できる便利である仏壇の提案がある（特許文献１参照）。【０００５】電子式礼拝装置に移動式情報端末機を接続することによって、故人情報データが移動式情報端末機に送信される礼拝メモリアルシステムとして、電子式礼拝装置と移動式情報端末機とが夫々の外部接続端子部を介して有線若しくは無線通信により接続されると共に該移動式情報端末機に備えられたアイコンを操作することで、記憶媒体に保管されている故人情報データが移動式情報端末機に送信され、該移動式情報端末機の画面上に画像情報データが表示されると共に、電子式礼拝装置または移動式情報端末機の何れか一方若しくは両方に備えられたスピーカーから音声情報データが発音される手段を採るものが提案されている（特許文献２参照）。【０００６】和室や床の間のない室内においても置き易く軽量でインテリア性に優れた簡易仏壇として、底板、底中板（前台付）、裏板、前板、天板、外左板、外右板、扉押さえ、左扉、右扉、祭壇前板、祭壇、祭壇右板、祭壇左板、左扉つまみ、右扉つまみの各種形状の構成部品から構成され、可動式である左扉、右扉以外の構成部品はすべて接合されて、構成される。軽量で十分な強度を有し工作性が良い強化ダンボールを構造材料として使用し、その表面に各種化粧紙等を接着して張り合わせ、装飾性を向上させ、それを複数の必要な構成部品の形にカット後、それらを接合して立体的な構造に組み上げ製作されるものが提案されている（特許文献３参照）。【０００７】手元供養に適した納骨機能を備えた台付きの仏壇として、開閉可能な扉を備えた仏壇と、仏壇が一体構造に載置される同じく開閉可能な扉を備えた仏壇台とを備えてなる台付き型の仏壇１であって、仏壇内の隔壁を介して２段に仕切り、上段側に祭壇部、下段側に第１の納骨壇部を設ける一方、仏壇台内に第２の納骨壇部を設け、仏壇本来の祭壇機能と手元供養を可能とする納骨機能とを両立させたものが提案されている（特許文献４参照）��【０００８】故人の様々な思い出を手軽に再現できる供養壇の提供のために、供養壇は、観音開きの扉を前面の開口部に備えた筐体と、筐体の内部に収納される液晶ディスプレイである画像表示装置と、画像表示装置の下方に配設され引出し状に収納可能な台板と、メモリーカードのデータを読み書き可能なメモリカードアダプタと、メモリーカードから読み出された動画や静止画のデータに基づいて画像表示装置に映像を表示する制御基板とを具備し、リモコンによる使用者の操作に応じて故人の映像を画像表示装置の表示部に表示し、スピーカーによって音声を再生できる仏壇の提案がある（特許文献５参照）。【０００９】簡易、軽量、小型の仏壇は多く提案されているが、木製であって、簡潔な装飾を持ち、タブレット端末でお経をお聞きする仏壇は少ない、仏壇内に納骨する容器を持つ用途に使用もでき容器チェストを有するものは存在していない。
【先行技術文献】
【特許文献】
【００１０】
【特許文献１】特開２０１６−１８７５４０号公報
【特許文献２】特開２０１６−９７１４７号公報
【特許文献３】実用新案登録第３２１１０３０号公報
【特許文献４】実用新案登録第３２２６７２２号公報
【特許文献５】実用新案登録第３１５３７９９号公報
【考案の概要】
【考案が解決しようとする課題】
【００１１】  そこで、本考案はかかる問題点に鑑みて、住宅様式、ライフスタイルの変化に合わせて先祖に対するお参りの形式も多様な有り方、使い方が模索されており、従来の特定な箇所に設置してお参りするようなものではなく、また大勢が集まってお参りすることが少なくなってきている。仏壇も簡単に移動出来て、少人数でお参りして、関係者はオンラインで行うことが望まれている。そのように仏壇の様式も変革して仏壇間をオンラインで接続して、関係者一同が同様なお参りをすることができるようにしている。立設された仏壇も、オンライン通信手法を取り入れて、仏様式装飾観音二段折扉を開いただけで仏壇の雰囲気を醸し出し、宗派の高僧や本尊、位牌などの仏具要素の交換自在化、及び壁面の取付けや支持具の折り畳み収納の簡易化を達成する簡易構造から成る簡易薄型仏壇を提供しようとするものである。【００１２】上記従来の問題に鑑みてなされたものであり、仏壇を自由に移動させることと、仏壇本体を着脱自在に移動できるように構成することにより、仏壇間をオンラインで接続して、少人数でお参りして、関係者はオンラインで行う、設置場所と用途を広げて、仏壇以外に神棚、位牌置き、装飾具置きなどに使用できる棚具に活用できる装置として省スペース化して、可動できることができ、種々の場所に設置できて、また多用途に活用できる可動式簡易お参り可能仏壇装置を提供することを目的とする。
【課題を解決するための手段】
【００１３】前面に仏壇本体とカウンター引き出し体と収納チェスト体と台座体と前記部品を設置できる背面材体とからなり、簡単に移動できるタブレット端末付き軽量仏壇装置において、前記仏壇本体にご本尊様と関連仏具を配置できる台座を持ち、前座にお参りのお経及び故人の音声、画像を表示できるタブレット端末を支持台に着座できるようにして、また最下部に収納チェスト体の内に遺骨を収納できるようになっており、前記背面材体に本尊とタブレット端末を設置している仏壇本体と仏具とお供え物の置きであるカウンター引き出し体と納骨の収納チェスト体と底板の台座体とを組み立て式簡単に取り付けることができるようになっている可動式簡易お参り可能な仏壇装置である。【００１４】前記仏壇本体は、幅２５０〜３５０ｍｍ、高さ３５０〜４５０ｍｍ、奥行き２００〜３００ｍｍの厚さ１５〜２５ｍｍの桐材の筐体であり、前面に両扉付き開口を有する筐体内に、ご本尊様と関連仏具を設置できる台座とタブレット端末を着座できる支持台とを備えて、前記仏壇本体の下部に仏具とお供え物を飾るカウンター引き出し体を直接的に嵌め込みできるようになって、前記仏壇本体とカウンター引き出し体との組み合わせから仏壇本体を個別に使用できるようになり、幅２５０〜４５０ｍｍ、高さ１２００〜１５００ｍｍの背面材体に取り付けたＬ字型板盤の固定具上にカウンター引き出し体を固定・設置して、前記カウンター引き出し体上に仏壇本体の筐体を当着させている。【００１５】前面に開口を有する扉付き筐体を備えた仏壇本体は、背面材体に取り付けたカウンター引き出し体上から前記仏壇本体を簡単に取り外しができて、背面材体の下部位置には、仏具、及ぶ骨壺を収納できる幅２５０〜４５０ｍｍ、高さ２５０〜４５０ｍｍ、奥行き２００〜４００ｍｍの木質材で製作された引き出しと開き戸付き収納キャスト体を有して、底部に前記収納キャスト体を固定できる台座体に取り付けており、背面材体の中間位置には収納キャスト体の天板を使用した飾り空間部になっている。【００１６】仏壇本体の前板に当たる観音扉は無垢材の木材にて掘り込みをもたらせた装飾性の左右対称の掘り込み模様の観音両開き扉を枢着し、筐体内にはベース板部、着座部、背板部を形成する収容空間の背板部付近に本尊、仏具を立設できる空間を確保しており、仏壇本体の内部に仏壇の本尊立設する仏壇台と前面にタブレット端末を着座させている。
【考案の効果】
【００１７】  本考案の可動薄型仏壇によれば、ライフスタイルの変化に合わせて移動可能から、立設えきる広い箇所と多様な使い方が可能となる。仏壇本体を着脱自在に移動できるように構成することにより、仏壇間をオンラインで接続して、少人数でお参りして、関係者はオンラインで行う、設置場所と用途を広げて、仏壇以外に神棚、位牌置き、装飾具置きなどに使用できる棚具に活用できる装置として省スペース化して、可動できることができる。仏壇の本尊を立設して、倒れて落下することなくコンパクトに安定して納められ、故人の命日に応じて位牌や遺影を差し換えなども自在であるから、簡易取り付け構造でありながら、先祖や故人に対してきめ細かな表現で供養できる効果がある。【００１８】仏壇を着脱自在に固定できるように構成することにより、用途を広げて、仏壇以外に神棚、位牌置き、装飾具置きなどに使用できる棚具に活用できる装置として省スペース化することができ、仏壇本体と納骨収納体が直接的に脱着可能に取り付けられ、仏壇本体タブレット端末付きお参りができる可搬式簡易お参り可能仏壇装置仏壇装置であり、家屋の種々の場所と多用途に活用できる薄型仏壇が提供できる。
【図面の簡単な説明】
【００１９】
【図１】本考案の一実施形態の可動式簡易お参り可能仏壇装置を示す斜視図である。
【図２】可動式簡易お参り可能仏壇装置における仏壇本体の前扉を開いた状態を示す斜視図である。
【図３】可動式簡易お参り可能仏壇装置における仏壇本体（Ａ）とカウンター引き出し体（Ｂ）と収納キャスト体（Ｃ）の各主要部品の斜視図である。
【図４】可動式簡易お参り可能仏壇装置における仏壇本体とカウンター引き出し体と収納チェスト体とを設置できる背面材体を示す図である。Ａ：前面  Ｂ：背面
【考案を実施するための形態】
【００２０】  以下、添付図面を参照し、本考案の仏壇セットを詳細に説明する。
図１〜図４に示されるように、本考案の第１実施形態の仏壇セットは、前面に開口を有する筐体を備えた仏壇本体と、仏壇本体が直接的に脱着可能に取り付けられ、床面に設置される支持台とを備えている。なお、仏壇セットを構成する各部材は、基本的には木材により形成されているが、仏壇セットを構成する各部材の材料は特に限定されるものではない。
【実施例１】
【００２１】図１に示すように前面に仏壇本体とカウンター引き出し体と収納チェスト体と台座体と前記部品を設置できる背面材体からなり、簡単に移動できる軽量的なタブレット端末付き仏壇装置において、前記仏壇本体にご本尊様と関連仏具を配置できる台座を持ち、前座にお参りのお経及び故人の音声、画像を表示できるタブレット端末を支持台に着座できるようにして、また収納チェスト体の内に遺骨を収納できるようになっており、背面材体に本尊とタブレット端末を設置している仏壇本体と仏具とお供え物の置きであるカウンター引き出し体と納骨の収納チェスト体と底板の台座体を簡単に取り付け組み立てることができるようになっている可動式簡易お参り可能な仏壇装置にした。【００２２】図２に示すように前記仏壇本体は、幅３００ｍｍ、高さ４００ｍｍ、奥行き２５０ｍｍの厚さ２０ｍｍの桐材の筐体であり、前面に両扉付き開口を有する筐体内に、ご本尊様と関連仏具を設置できる台座とタブレット端末を着座できる支持台とを備えて、図３Ｂに示すように前記仏壇本体の下部に仏具とお供え物を飾るカウンター引き出し体を直接的に嵌め込みできるようにし、図４に示すように、厚さ４０ｍｍの木材を使用した幅４００ｍｍ、高さ１４００ｍｍの背面材体に取り付けたＬ字型金属盤の固定具上に固定・設置して、仏壇本体の筐体の裏面を背面材体に接合具にて掛けて固着させてた。【００２３】前面に開口を有する筐体を備えた仏壇本体は、背面材体に前記仏壇本体の接続具からの脱着可能に取り付けられ、仏壇本体の内部に仏壇の本尊立設する仏壇台を設置して、背面材体の下部位置に、図３Ｃに示すように、幅４００ｍｍ、高さ４２０ｍｍ、奥行き３５０ｍｍの収納キャスト体を有し、内部に木質材で製作されており、底部には台座体を取り付けている、背面材体の中間位置には収納キャスト体の天板を使用した飾り空間部にした。【００２４】仏壇本体の前板の二段畳み観音扉は無垢材の木材にて掘り込みをもたらせた装飾性の左右対称の掘り込み模様の観音扉を枢着し、筐体内には折り畳みできるフラップ板を置いて、フラップ板部に併せてベース板部、天板部、背板部を形成する収容空間の背板部付近に本尊、仏具立設できる空間を確保した。図１の使用状態を示すように仏壇の前にはお供え物などをおいて佛儀を行うことができた。
【実施例２】
【００２５】実施例１と同様に、前面に仏壇本体とカウンター引き出し体と収納チェスト体と台座体と前記部品を設置できる背面材体からなり、簡単に移動できる軽量的なタブレット端末付き仏壇装置において、前記仏壇本体にご本尊様と関連仏具を配置できる台座を持ち、前座にお参りのお経及び故人の音声、画像を表示できるタブレット端末を支持台に着座できるようにして、また収納チェスト体の内に遺骨を収納できるようになっており、背面材体に本尊とタブレット端末を設置している仏壇本体と仏具とお供え物の置きであるカウンター引き出し体と納骨の収納チェスト体と底板の台座体を簡単に取り付け組み立てることができるようになっている図１のような可動式簡易お参り可能な仏壇装置を製作した。【００２６】図３のＡ，Ｂ，Ｃ図４で示すように、前記仏壇本体は、幅２５０ｍｍ、高さ３５０ｍｍ、奥行き２００ｍｍの厚さ１５ｍｍの桐材の筐体であり、前面に両扉付き開口を有する筐体内、ご本尊様と関連仏具を設置できる台座とタブレット端末を着座できる支持台とを備えて、前記仏壇本体の下部に仏具とお供え物を飾るカウンター引き出し体を直接的に嵌め込みできるように、幅２５０ｍｍ、高さ１２００ｍｍの背面材体に取り付けたＬ字型板盤の金具の固定具上に固定・設置して、仏壇本体の筐体の裏面を背面材体に接合具にて掛けて固着させた。【００２７】前面に開口を有する筐体を備えた仏壇本体は、背面材体に前記仏壇本体の接続具からの脱着可能に取り付けられ、仏壇本体の内部に仏壇の本尊立設する仏壇台を設置して、背面材体の下部位置に、幅２５０ｍｍ、高さ３００ｍｍ、奥行き２００ｍｍの収納キャスト体を有し、内部に木質材で製作されており、底部には台座体を取り付けている、背面材体の中間位置には収納キャスト体の天板を使用した飾り空間部になった。その場所にタブレットを置いたり、また故人の遺影を飾ったりした。
【符号の説明】
【００２８】１  可動薄型仏壇。
２  仏壇本体
３  カウンター引き出し体
４  収納チェスト体
５  台座体
６  背面材体
７  タブレット端末
８  固定具
９  本尊、仏像
１０  掛け軸
１１  お供え物
１２  仏具
１３  扉
１４  着座
１５  支持台
１６  天板
１７  引き出し
【図１】
0003233136.tif 000003
【図２】
0003233136.tif 000004
【図３】
0003233136.tif 000005
【図４】
0003233136.tif 000006